(57)【要約】【課題】自立性を向上させることができる上に、コスト及び廃棄性に優れたスタンディングパウチを提供する。【解決手段】少なくとも左右に側部シール部４を有するとともに、底部にガセット部を有するスタンディングパウチであって、各々の側部シール部４に連設して幅広シール部６が設けられ、幅広シール部６はパウチの上部に設けられており、幅広シール部６には穴または切り欠きが設けられておらず、幅広シール部６は少なくとも上側の第１部分６１と下側の第２部分６２とで構成され、第２部分６２の内側シールラインはパウチの内側から外側に向かって傾斜するように形成されている。内容物が充填された自立状態において、腰折れが抑制される。【選択図】図１
2015107816.tif 000002
【特許請求の範囲】
【請求項１】
少なくとも左右に側部シール部を有するとともに底部にガセット部を有するスタンディングパウチであって、各々の側部シール部に連設して幅広シール部が設けられ、幅広シール部はパウチの上部に設けられており、幅広シール部には穴または切り欠きが設けられておらず、幅広シール部は少なくとも上側の第１部分と下側の第２部分とで構成され、第２部分の内側シールラインはパウチの内側から外側に向かって傾斜するように形成されていることを特徴とするスタンディングパウチ。
【請求項２】
幅広シール部の第２部分の内側シールラインがパウチの外側に向かって湾曲する部分を有するように形成されていることを特徴とする請求項１に記載のスタンディングパウチ。
【請求項３】
幅広シール部の第１部分の内側シールラインがパウチの外側から内側に向かって傾斜するように形成されていることを特徴とする請求項１又は２に記載のスタンディングパウチ。
【請求項４】
さらに上部シール部を有しており、その上部シール部を底部に向かって折り返した折返し片を有し、該折返し片は少なくとも上部シール部の幅方向の中央部分を含むように設けられていることを特徴とする請求項１〜３のいずれか一項に記載のスタンディングパウチ。
【発明の詳細な説明】
【技術分野】
【０００１】
本発明は、主に液体を収納して販売するための包装袋の技術分野に属し、詳しくは、液体が内容物として充填された状態でそれ自体が自立性のあるスタンディングパウチに関するものである。
【背景技術】
【０００２】
上述のスタンディングパウチは、可撓性の積層フィルムからなる胴部フィルムの下部に山形に折り曲げた底部フィルムを挟み込んで周囲を加熱シールしたもので、内容物として液体を充填すると底部フィルムが拡開して自立できるようになっており、従来より、ボトルやカートンなどの保形性容器の代替容器として、あるいは、ボトルに内容物を補充する詰め替え用容器として好適に用いられている。例えば、自立性に優れたスタンディングパウチとして、以下の文献が知られている。
【先行技術文献】
【特許文献】
【０００３】
【特許文献１】特開２００２−２２５８８７号公報
【特許文献２】特開２００２−２１１５８９号公報
【発明の概要】
【発明が解決しようとする課題】
【０００４】
引用文献１，２に記載のスタンディングパウチは、内容物充填後に自立性を有するものの、拡大シール部に穴が設けられているため、パウチの側部での折れ（以下、腰折れ）が発生しやすいことが分かった。
【０００５】
本発明は、このような背景に鑑みてなされたものであり、その目的とするところは、腰折れを抑制することができるスタンディングパウチを提供することにある。
【課題を解決するための手段】
【０００６】
上記の目的を達成するため、請求項１に記載のスタンディングパウチは、少なくとも左右に側部シール部を有するとともに、底部にガセット部を有するスタンディングパウチであって、各々の側部シール部に連設して幅広シール部が設けられ、幅広シール部はパウチの上部に設けられており、幅広シール部には穴または切り欠きが設けられておらず、幅広シール部は少なくとも上側の第１部分と下側の第２部分とで構成され、第２部分の内側シールラインはパウチの内側から外側に向かって傾斜するように形成されていることを特徴としている。
【０００７】
また、請求項２に記載のスタンディングパウチは、請求項１に記載のスタンディングパウチにおいて、幅広シール部の第２部分の内側シールラインがパウチの外側に向かって湾曲する部分を有するように形成されていることを特徴としている。
【０００８】
また、請求項３に記載のスタンディングパウチは、請求項１又は２に記載のスタンディングパウチにおいて、幅広シール部の第１部分の内側シールラインがパウチの外側から内側に向かって傾斜するように形成されていることを特徴としている。
【０００９】
また、請求項４に記載のスタンディングパウチは、請求項１〜３のいずれか一項に記載のスタンディングパウチにおいて、さらに上部シール部を有しており、その上部シール部を底部に向かって折り返した折返し片を有し、該折返し片は少なくとも上部シール部の幅方向の中央部分を含むように設けられていることを特徴とするものである。
【発明の効果】
【００１０】
本発明のスタンディングパウチは、各々の側部シール部に連設して幅広シール部が設けられ、幅広シール部はパウチの上部に設けられており、幅広シール部には穴または切り欠きが設けられておらず、幅広シール部は少なくとも上側の第１部分と下側の第２部分とで構成され、第２部分の内側シールラインはパウチの内側から外側に向かって傾斜するように形成されていることにより、内容物が充填された自立状態において、腰折れが抑制される。
【図面の簡単な説明】
【００１１】
【図１】本発明に係るスタンディングパウチを充填前の状態で示す平面図である。
【図２】本発明に係るスタンディングパウチの他の例を充填前の状態で示す平面図である。
【図３】本発明に係るスタンディングパウチの他の例を充填前の状態で示す平面図である。
【図４】図２のスタンディングパウチに内容物を充填して上部シール部を形成した後、その上部シール部に折返し片を設けた状態で示す斜視図である。
【図５】本発明に係るスタンディングパウチのさらに他の例を充填前の状態で示す平面図である。
【図６】本発明に係るスタンディングパウチのさらに他の例を充填前の状態で示す平面図である。
【図７】本発明に係るスタンディングパウチのさらに他の例を充填前の状態で示す平面図である。
【発明を実施するための形態】
【００１２】
次に、本発明の実施の形態について図面を参照しながら詳細に説明する。
【００１３】
本発明のスタンディングパウチは、可撓性の積層フィルムで構成され、内容物として例えば液体状の食品などを充填して販売されるものであり、実施例である図１，図２，図３のスタンディングパウチＡ1 ，Ａ2 ，Ａ3 は、それぞれ内容物を充填する前の状態を図示している。
【００１４】
これらのスタンディングパウチＡ1 ，Ａ2 ，Ａ3 は、胴部を形成する２枚の壁面フィルム１の間に２つ折りした底面フィルム２を組み合わせて製造される。また、底面フィルム２を２つ折りしたガゼット形式の底部には、その両側下端近傍に半円状の切り欠き２ａが設けられており、胴部を形成する２枚の壁面フィルム１の間に２つ折りの底面フィルム２を挟み込み、舟底形の底部シール部３でヒートシールするとともに、左右端縁に沿った側部シール部４でヒートシールすることで製袋されている。また、左右の側部シール部４には、上辺より所定距離だけ離れたところにそれぞれ開封用ノッチ５が形成されている。
【００１５】
図１に示すスタンディングパウチＡ1 では、図示のように、パウチの上部に両方の側部シール部４に連設された幅広シール部６を設けてある。幅広シール部６は、上側の第１部分６１と下側の第２部分６２とで構成され、第２部分６２の内側シールラインはパウチの内側から外側に向かって傾斜するように形成されている。さらに、幅広シール部６は、穴または切り欠きのいずれも設けられないように形成される。この側部シール部４に連設する幅広シール部６は、側部シール部４をヒートシールするときに同時に形成してもよい。
【００１６】
第１部分６１は、直線でも曲線でもよい。また、図２に示すスタンディングパウチＡ2 のように、第１部分６１の内側シールラインは、パウチの外側から内側に向かって傾斜するように設けてもよい。このようにした場合、内容物を充填したときに、パウチの上部からパウチの内側に向かってＶ字状の折込みを形成しやすくすることができるため、パウチの幅方向の中央部近傍におけるパウチの上下方向の折れ（以下、中折れ）を抑制しやすくすることができる。また、傾斜するように形成する場合、図２に示す如く、パウチの内側に向かって湾曲する部分を有するように設けてもよい。
【００１７】
第２部分６２は、直線でも曲線でもよいが、図１や図２に示すように、パウチの外側に向かって湾曲する部分を有するように形成することが好ましく、第２部分６２の内側シールラインが側部シール部４の内側シールラインと連設される箇所近傍において、第２部分６２の内側シールラインがパウチの外側に向かって湾曲するように形成することがより好ましい。このようにした場合、より腰折れを抑制しやすくすることができる。
【００１８】
幅広シール部６は、図３に示すスタンディングパウチＡ3 のように、第１部分６１と第２部分６２との間に連結部分６３を設けてもよい。連結部分６３は、直線でも曲線でもよいし、または、直線や曲線を組み合わせたものであってもよい。例えば、図３のように、連結部分６３を直線とし、且つ、側部シール部４と平行になるように形成した場合、液体の注出性を安定させることができる。
【００１９】
ここで、パウチの上部とは、パウチの高さ方向の長さをＬ１としたときに、パウチの上端からパウチの内側に向かってＬ１の１／２までの領域を指す。幅広シール部６はパウチの上端から設けてもよい。幅広シール部６は、パウチの上端からＬ１の１／４〜１／２の距離に設けることができる。また、パウチの幅方向の長さをＬ２としたときに、幅広シール部６は、パウチの側端からＬ２の１／６〜１／４の距離に設けることができる。側部シール部４の幅をｗ１とし幅広シール部６の最も幅が広い部分の幅をｗ２としたときに、幅広シール部６の最も幅が広い部分の幅ｗ２は、２０〜４０ｍｍとすることが好ましく、２０〜３０ｍｍとすることがより好ましい。また、幅広シール部６高さｈは５０〜１００ｍｍとすることが好ましく、６０〜８０ｍｍとすることがより好ましい。
【００２０】
図１，図２，図３に示すスタンディングパウチＡ1 ，Ａ2 ，Ａ3 は、複数枚ごと束ねて纏められれた状態で充填工程に送られ、そこで一枚ずつに内容物が充填される。具体的には、上部を広げて内容物を充填し、その開口を閉じるように所定幅でヒートシールして所定幅の上部シール部を形成する。このような充填工程を経ることで、スタンディングパウチＡ1 ，Ａ2 ，Ａ3 は、底部シール部３と左右の側部シール部４に加え、上部シール部を有したものとなる。なお、幅広シール部６は、上部シール部と重なるように形成されるものであり、スタンディングパウチＡ1 ，Ａ2 ，Ａ3 には、上部シール部予定部が符号７１で示されている。そして、内容物を取り出すときは、左右いずれかの開封用ノッチ５の両側で側部シール部４を摘んで互いに反対側に引っ張ることにより、壁面フィルム１を破断して開封することができる。なお、パウチ上部に設ける開封手段は、開封用ノッチ５に限るものではなく、従来より知られている任意の手段で構わない。
【００２１】
スタンディングパウチＡ1 ，Ａ2 ，Ａ3 に内容物を充填した後、上部シール部を底部に向かって折り返した折返し片を有するようにしてもよい。折返し片を形成する場合、図４に例示するように、上部シール部７は基片８と折返し片９とで構成され、折線αを介してその基片８と折返し片９とが連設される。折返し片９は、折返し片９を基片８との角度が鋭角になるように折り返されるのが好ましい。折返し片９は、少なくとも上部シール部７の幅方向の中央部分を含むように設けられ、図４に示すように、上部シール部７の幅方向の一端から他端に亘って設けられることが好ましい。
【００２２】
なお、図４に示す実施例では、折返し片は上部シール部の幅方向の一端から他端に亘って設けているが、壁面フィルムに張りを持たせるように作用する範囲であれば、折返し片は、少なくとも上部シール部の幅方向の中央部分を含むように設けられていればよい。
【００２３】
上部シール部７に折返し片９を設けることにより、内容物が充填された自立状態において、折返し片９が突っ張って壁面フィルム１に張りを持たせるので、パウチの上部からパウチの内側に向かって形成されるＶ字状の折込みの形状を保形しやすくなるため、中折れを抑制しやすくすることができる。
【００２４】
図５，６，７のスタンディングパウチＡ4 ，Ａ5 ，Ａ6 は、図２で説明したスタンディングパウチＡ2 の変形例であり、それぞれ内容物を充填する前の状態を図示している。これらの図は図２と側部シール部４の形状が異なっているだけであり、同じ構成部分には同じ符号を付してある。
【００２５】
このうち、図５のスタンディングパウチＡ4 は、側部シール部４が、側部シール部４の外側シールラインが直線状で、側部シール部４の内側シールラインがパウチの内側に向かって傾斜する傾斜シール部分４ａを有している。例えば、この傾斜シール部分４ａは、パウチの上部からガセット形式の底部の上端までの間に設けられる。この傾斜シール部分４ａの傾斜形状は、直線状でもよいし曲線状でもよい。図５では、傾斜シール部分４ａが、パウチの上部から中央部にかけて設けられるとともに、パウチの内側に向かって湾曲するように設けられている。このような傾斜シール部分４ａを設けることにより、Ｖ字状の折込みに沿ったフォルムを形成しやすくすることができる。また、側部シール部４の内側シールラインを、傾斜シール部分４ａの下端からガセット形式の底部の上端にかけて、パウチの外側に向かって傾斜するように設けてもよい。図５では、傾斜シール部分４ａの下端からガセット形式の底部の上端にかけての側部シール部４の内側シールラインが、パウチの外側に向かって傾斜するとともに、パウチの内側に向かって湾曲するように設けられている。
【００２６】
一方、図６のスタンディングパウチＡ5 は、側部シール部４が、側部シール部４の外側シールラインがパウチの内側に向かって湾曲する湾曲シール部分４ｂを有している。例えば、湾曲シール部分４ｂは、図示のように、パウチの上部からガセット形式の底部の上端までの間に設けられる。このような湾曲シール部分４ｂを設けることにより、パウチ全体の保形性を向上させることができる。
【００２７】
また、図７のスタンディングパウチＡ6 は、側部シール部４が、側部シール部４の内側シールラインがパウチの内側に向かって傾斜する傾斜シール部分４ａを有しているとともに、側部シール部４の外側シールラインがパウチの内側に向かって湾曲する湾曲シール部分４ｂを有している。図７では、傾斜シール部分４ａがパウチの上部から中央部にかけて設けられるとともにパウチの内側に向かって湾曲するように設けられ、傾斜シール部分４ａの下端からガセット形式の底部の上端にかけての側部シール部４の内側シールラインがパウチの外側に向かって傾斜するとともにパウチの内側に向かって湾曲するように設けられ、側部シール部４の湾曲シール部分４ｂがパウチの上部からガセット形式の底部の上端にかけて設けられている。
【００２８】
本発明のスタンディングパウチは、胴部を形成する２枚の壁面フィルムと２つ折りした底面フィルムを組み合わせた構成に限定されるものではなく、１枚のフィルムから構成されるものであってもよい。また、その場合、底部シール部は形成してもよいし形成しなくてもよい。このように１枚のフィルムでスタンディングパウチを構成する形態では、上部から内容物を充填した後、上部シール部を形成して密封した後、折返し片を形成する。
【００２９】
本発明のスタンディングパウチにおいて、側部シール部４の幅ｗ１は、７ｍｍ以上とすることが好ましく、１０ｍｍ以上とすることがより好ましい。側部シール部４の幅ｗ１を１０ｍｍ以上とした場合、レトルト用途であっても、自立性を向上させることができる。レトルト用途の場合、スタンディングパウチを構成するフィルムは、少なくとも、外側から順に基材層、バリア層、シーラント層が積層された積層フィルムを使用することができ、例えば、外側から順に、ＰＥＴ、アルミニウム箔、ＣＰＰが積層した積層フィルムを使用することができる。
【００３０】
本発明のスタンディングパウチは、上記した実施の形態に何ら限定されるものではなく、本発明の趣旨を逸脱しない範囲において種々の変更が可能であることは言うまでもないことである。
【産業上の利用可能性】
【００３１】
本発明のスタンディングパウチは、主に液体を収納して販売する際に用いるのが好適であるが、液体と類似した挙動を示す粉体、粒状体などを収納する場合にも利用することができる。
【符号の説明】
【００３２】
Ａ1 ，Ａ2 ，Ａ3 ，Ａ4 ，Ａ5 ，Ａ6   スタンディングパウチ
１  壁面フィルム
２  底面フィルム
２ａ  切り欠き
３  底部シール部
４  側部シール部
４ａ  傾斜シール部分
４ｂ  湾曲シール部分
５  開封用ノッチ
６  幅広シール部
６１  幅広シール部の第１部分
６２  幅広シール部の第２部分
６３  幅広シール部の連結部分
７  上部シール部
８  基片
９  折返し片
α  折線
Ｌ１  パウチの高さ方向の長さ
Ｌ２  パウチの幅方向の長さ
ｈ  幅広シール部の高さ
ｗ１  側部シール部の幅
ｗ２  幅広シール部の最も幅が広い部分の幅
Ｗ  ｗ１とｗ２を合わせた幅
【図１】
2015107816.tif 000003
【図２】
2015107816.tif 000004
【図３】
2015107816.tif 000005
【図４】
2015107816.tif 000006
【図５】
2015107816.tif 000007
【図６】
2015107816.tif 000008
【図７】
2015107816.tif 000009